(57)【要約】【課題】堰体の内部に水を出入りさせて起立、倒伏させる可撓性膜製起伏堰は工期、工費の面で不利な深い貯水池を必要とし、また、河川水の水位によっては、起立させることができなくなるので、この問題を無くす。【解決手段】給排気管６と給排水管４を設けて堰体１を空気で起立させ、その後、堰体内の空気を水と置換することを可能ならしめた。こうすると、堰体でせき止めて上流に溜めた河川水を置換用として使用することができ、また、貯水池は必須でなくなり、その池を設ける場合にも、池の深さを浅くすることができる。【選択図】  図１
2004162328.tif 000002
【特許請求の範囲】
【請求項１】
給排気管と給排水管を有し、空気で膨張、起立させた堰体の内部の空気を河川水と置換可能となした可撓性膜製起伏堰。
【請求項２】
給排水管の取水口を川底よりも高所で堆積物が取り込まれない位置に設置した請求項１記載の可撓性膜製起伏堰。
【請求項３】
川底基準での深さを浅くした貯水池を設けてその貯水池から給排水管を通して堰体の内部に水を送り込むようにした請求項１または２記載の可撓性膜製起伏堰。
【請求項４】
堰体の内部に、設定された量だけ水を送り込み、その後、空気を設定された圧力になるまで再び送り込むようにした請求項１乃至３のいずれかに記載の可撓性膜製起伏堰。
【発明の詳細な説明】
【０００１】
【発明の属する技術分野】
この発明は、可撓性膜材で形成される堰体の膨張、起立状態を河川の水を利用して行う可撓性膜製起伏堰に関する。
【０００２】
【従来の技術】
可撓性膜材で形成される堰体の起立、倒伏を水の給排によって行う可撓性膜製起伏堰としては、例えば、下記の特許文献１に示されるものがある。
【０００３】
【特許文献１】
特開昭５７−１２７１１号公報（第１頁、特許請求の範囲）
【０００４】
同公報に開示された可撓性膜製起伏堰は、堰体（ゴム堰）の上流側の河床や護岸内を川底よりも深く掘り下げた貯水路を設け、そこに溜めた水を揚水装置で汲み上げて堰体の内部に送り込むようにしてある。起立用の流体として水を用いるこの可撓性膜製起伏堰は、空気を用いるものに比べて内圧を下げたときの剛性を確保し易く、堰高調整が容易であるという利点がある。
【０００５】
【発明が解決しようとする課題】
特許文献１に示される可撓性膜製起伏堰は、貯水路を操作室の下部に川底よりも深く掘り下げて設ける必要があり（貯水池が必要）、堰体の膨張、収縮用の流体として空気を用いるものに比べてコストが高くつき、設置のための工期も長くなる。
【０００６】
また、貯水路の底に溜まる砂泥などの堆積物を定期的に除去する必要があり、維持管理の手間や費用も多くなる。さらに、貯水路に導入する河川水がなければ、堰体を起立させることができない。
【０００７】
堰体を、水と空気を併用して起立させる水、空気併用式可撓性膜製起伏堰も、水式可撓性膜製起伏堰と同様に貯水池を併設する必要があり、そのために、工事費、維持管理費などが水式可撓性膜製起伏堰と同じになると云う不具合があった。
【０００８】
この発明は、これらの不具合を無くすことを課題としている。
【０００９】
【課題を解決するための手段】
上記の課題を解決するため、この発明においては、給排気管と給排水管をそれぞれ備えさせ、空気で膨張、起立させた堰体の内部の空気を河川水と置換可能となした。この可撓性膜製起伏堰は、堰体の内部に、設定された量だけ水を送り込み、その後、空気を設定された圧力になるまで再び送り込むことも可能である。
【００１０】
この可撓性膜製起伏堰は、給排水管の取水口を川底よりも高所で堆積物が取り込まれない位置に設置すると好ましい。
【００１１】
また、川底基準での深さを浅くした貯水池を設けてその貯水池から給排水管を通して堰体の内部に水を送り込むようにすると、工期や工費を低減できて好ましい。
【００１２】
【作用】
この発明の可撓性膜製起伏堰は、空気で起立させることができるので、河川水が非常に少ないときにも支障無く起立させることができる。また、堰体を起立させることで上流に河川水を溜め、それを空気との置換用として利用することができ、河川水が少なくても、空気と水の置換が行える。
【００１３】
さらに、上述したように、堰体の内部に、設定された量だけ水を送り込み、その後、空気を設定された圧力になるまで再び送り込むこともでき、使用の自由度も高まる。
【００１４】
給排水管の取水口を、川底よりも高所で堆積物が取り込まれない位置に設置したものは、河川水の上澄みを導入するようにして貯水池や給排水管に対する砂泥などの異物の流入を抑えることが可能になり、流入異物の除去回数、そのための手間、維持管理に要する費用なども低減できる。
【００１５】
また、堰体でせき止めた水を空気との置換用として利用できるので、必ずしも貯水池を設ける必要がない。貯水池を設ける場合にも、せき止めた水の上澄みを導入できるので、沈砂用スペースを無くして池の川底基準での深さを浅くすることができ、池の設置に要する費用と時間を節約できる。貯水池は、池底を川底と同レベル、あるいは、川底よりも高くすることも可能であり、こうすることで、池底への異物の堆積をなくせるため、池の維持管理も容易になる。
【００１６】
【発明の実施の形態】
以下、この発明の可撓性膜製起伏堰の実施形態を図１および図２に基づいて説明する。図中１は、ゴム引布等の可撓性膜材で袋状に形成された堰体、２は操作室、３は操作室の下部等に設ける貯水池、４は給排水管、５は導水管、６は給排気管である。
【００１７】
堰体１は、河床部Ａと堤体の法面Ｂに固定され、河川を横切って設置される。貯水池３は、ここでは深さ（池底の高さ位置）を河床とほぼ同一レベルにしたが、池底を河床よりも上側（但し、せき止め水の水面よりも下側）に設定することも可能である。
【００１８】
給排気管６は、送風機などの給気源７と、給排気の状態を切り換えるバルブ８を備えており、操作室２から堰体１の内部に至っている。
【００１９】
導水管５は、図２に示すように、堰の上流の河川から貯水池３に至り、さらに、貯水池３から堰の下流の河川に至っている。この導水管５の取水口５ａは、その位置を河床よりも高くしてある。河床から取水口５ａまでの高さｈは、堆積物による河床の盛り上がり量を想定し、その想定量よりも大としておくのがよい。
【００２０】
給排水管４は、給水用のポンプ９と管内流路を開閉するバルブ１０を備えており、貯水池３から堰体１に至っている。この給排水管４の貯水池３に対する接続口は、貯水池３における異物の沈殿、堆積が皆無というわけではないので、堆積物が吸い込まれない高さ位置に設けるのがよい。その場合、あるいは、貯水池３の池底を河床よりも高くする場合には、排水口を分岐してその排水口を堰体１を設置した位置の河床高さと同じにするかまたはそれよりも低くし、排水口用のバルブも別途設ける。
【００２１】
なお、例示の堰には貯水池３を付属させたが、給排水管４の入口を堰の上流の河川に開口させて取水口とすれば、貯水池３を省くことができる。
【００２２】
このように構成した可撓性膜製起伏堰は、給排気管６から堰体１の内部に空気を送り込んで堰体１を膨張、起立させ、その堰体１で上流の河川水をせき止める。そして、上流に溜まった水を貯水池３に導入し、これをポンプ９で汲み上げて堰体１の内部に送り込む。この時、給排気管６の排気バルブを開き、導水量と排気量を調整すると堰体１の起立状態を維持して堰体内の空気を水と置換することができる。その置換後に、必要に応じて導入水の排水、再導入による堰高の調整を実施する。
【００２３】
取水口が水面下にあれば、水のみで起立させることもできる。また、堰体１の内部に設定された量だけ水を導入し、その後、空気を設定された圧力になるまで再び送り込むこともでき、使用法の自由度も高い。
【００２４】
【発明の効果】
以上述べたように、この発明の可撓性膜製起伏堰は、堰体を空気で起立させたのちに堰体の内部の空気を水と置換できるようにしたので、起伏用流体として水を使用する堰の特徴を生かしながら、その堰の弱点、すなわち、河川水位が低い場合、起立させることが出来なくなるという問題と、貯水池を設けることによる工費、工期の増加の問題を解消することができる。
【００２５】
また、河川の状況によっては水のみで起立させたり、設定量の水と空気を併用して起立状態の維持や堰高調整を行ったりすることもでき、使用法の自由度も高まる。
【００２６】
また、導水管の取水口を川底の堆積物が入り込まない高さ位置に設けるものは、管内及び貯水池内堆積物の除去回数が減少し、維持、管理の手間と費用を低減することができる。
【００２７】
さらに、貯水池を浅くしたものは、深い池を設ける場合と比べて工期、工費の面で有利になる。
【図面の簡単な説明】
【図１】この発明の堰の実施形態を示す断面図
【図２】図１の堰の平面図
【符号の説明】
１        堰体
２        操作室
３        貯水池
４        給排水管
５        導水管
６        給排気管
７        給気源
８、１０  バルブ
９        ポンプ
【図１】
2004162328.tif 000003
【図２】
2004162328.tif 000004